(57)【要約】【課題】通信端末の使用時間を延ばすためにどの機能を省電力モードに設定すればよいかをユーザに通知できる通信端末を提供することを目的とする。【解決手段】本発明に係る通信端末は、省電力モードに設定可能な複数の機能を実行する機能実行手段１１と、機能実行手段１１が実行している前記機能を任意期間監視し、前記機能毎の動作時間を計測する時間計測手段１２と、時間計測手段１２が計測した前記機能毎の動作時間の累計を表示する表示手段１３と、を備える。【選択図】図１
2011066700.tif 000002
【特許請求の範囲】
【請求項１】
省電力モードに設定可能な複数の機能を実行する機能実行手段と、
前記機能実行手段が実行している前記機能を任意期間監視し、前記機能毎の動作時間を計測する時間計測手段と、
前記時間計測手段が計測した前記機能毎の動作時間の累計を表示する表示手段と、
を備える通信端末。
【請求項２】
前記機能実行手段が実行する前記機能及び前記時間計測手段が監視する任意期間を記憶する記憶手段をさらに備えることを特徴とする請求項１に記載の通信端末。
【請求項３】
前記機能をそれぞれ省電力モードに設定するモード設定手段をさらに備えることを特徴とする請求項１又は２に記載の通信端末。
【請求項４】
前記任意期間を設定する期間設定手段をさらに備えることを特徴とする請求項１から３のいずれかに記載の通信端末。
【請求項５】
省電力モードに設定可能な複数の機能を実行する機能実行手順と、
前記機能実行手順で実行している前記機能を任意期間監視し、前記機能毎の動作時間を計測する時間計測手順と、
前記時間計測手順で計測した前記機能毎の動作時間の累計を表示する表示手順と、
を順に行う通信端末の動作方法。
【請求項６】
前記機能実行手順で実行する前記機能及び前記時間計測手順で監視する任意期間を記憶する記憶手順を前記機能実行手順及び前記時間計測手順の前に行うことを特徴とする請求項５に記載の通信端末の動作方法。
【請求項７】
前記機能をそれぞれ省電力モードに設定するモード設定手順を前記表示手順の後に行うことを特徴とする請求項５又は６に記載の通信端末の動作方法。
【請求項８】
前記任意期間を設定する期間設定手順を前記記憶手順の前に行うことを特徴とする請求項５から７のいずれかに記載の通信端末の動作方法。
【請求項９】
省電力モードに設定可能な複数の機能を実行する機能実行手順と、
前記機能実行手順で実行している前記機能を任意期間監視し、前記機能毎の動作時間を計測する時間計測手順と、
前記時間計測手順で計測した前記機能毎の動作時間の累計を表示する表示手順と、
を順に通信端末に実行させる通信端末の動作プログラム。
【請求項１０】
前記機能実行手順で実行する前記機能及び前記時間計測手順で監視する任意期間を記憶する記憶手順を前記機能実行手順及び前記時間計測手順の前に通信端末に実行させることを特徴とする請求項９に記載の通信端末の動作プログラム。
【請求項１１】
前記機能をそれぞれ省電力モードに設定するモード設定手順を前記表示手順の後に通信端末に実行させることを特徴とする請求項９又は１０に記載の通信端末の動作プログラム。
【請求項１２】
前記任意期間を設定する期間設定手順を前記記憶手順の前に通信端末に実行させることを特徴とする請求項９から１１のいずれかに記載の通信端末の動作プログラム。
【発明の詳細な説明】
【技術分野】
【０００１】
本発明は、複数の機能を実行する通信端末に関する。
【背景技術】
【０００２】
近年の携帯電話機のような通信端末は、表示部の大型化、多機能化などにより、消費電流が多くなっている。ユーザが長時間通信端末を使用するために、バッテリの容量の使用形態を最適化することが求められている。バッテリの容量の使用形態を最適化する通信端末の一例が特許文献１に記載されている。
【０００３】
特許文献１の通信端末は、制御部に設けられたモード別給電制御機能の制御の下、バッテリが保有する容量を第１及び第２の容量に分割して、この分割された第１及び第２の容量を移動通信モード及びカメラモードに割り当て、移動通信モード及びカメラモードを上記割り当てられた第１及び第２の容量の範囲内で使用可能とするようにしたものである。さらに、移動通信動作中及びカメラの撮像動作中に、それぞれのモードで使用可能なバッテリ残量を算出し、表示するようにしている。
【先行技術文献】
【特許文献】
【０００４】
【特許文献１】特開２００５−３２３１７９号公報
【発明の概要】
【発明が解決しようとする課題】
【０００５】
特許文献１の通信端末は、ユーザの機能使用状況によっては機能に割り当てられたバッテリ容量を使い切ってしまうため、通信端末の使用時間を延ばすことはできないという問題点があった。
【０００６】
さらに、各機能には省電力モードが設定可能な場合もあるが、多機能化により設定項目も増え、何の機能を省電力モードに設定すれば、通信端末の使用時間を延ばすことに対して有効かもユーザにはわかりづらくなっているという問題点もあった。
【０００７】
そこで、本発明は、上述した課題である通信端末の使用時間を延ばすためにどの機能を省電力モードに設定すればよいかをユーザに通知できる通信端末を提供することを目的とする。
【課題を解決するための手段】
【０００８】
上記目的を達成するために、本発明に係る通信端末は、ユーザの機能使用状況を通知することとした。
【０００９】
具体的には、本発明に係る通信端末は、省電力モードに設定可能な複数の機能を実行する機能実行手段と、前記機能実行手段が実行している前記機能を任意期間監視し、前記機能毎の動作時間を計測する時間計測手段と、前記時間計測手段が計測した前記機能毎の動作時間の累計を表示する表示手段と、を備える。
【００１０】
具体的には、本発明に係る通信端末の動作方法は、省電力モードに設定可能な複数の機能を実行する機能実行手順と、前記機能実行手順で実行している前記機能を任意期間監視し、前記機能毎の動作時間を計測する時間計測手順と、前記時間計測手順で計測した前記機能毎の動作時間の累計を表示する表示手順と、を順に行う。
【００１１】
具体的には、本発明に係る通信端末の動作プログラムは、省電力モードに設定可能な複数の機能を実行する機能実行手順と、前記機能実行手順で実行している前記機能を任意期間監視し、前記機能毎の動作時間を計測する時間計測手順と、前記時間計測手順で計測した前記機能毎の動作時間の累計を表示する表示手順と、を順に通信端末に実行させる。
【発明の効果】
【００１２】
本発明は、通信端末の使用時間を延ばすためにどの機能を省電力モードに設定すればよいかをユーザに通知できる通信端末を提供することができる。
【図面の簡単な説明】
【００１３】
【図１】本発明に係る通信端末を説明するブロック図である。
【図２】本発明に係る通信端末の動作方法を説明するフローチャートである。
【図３】本発明に係る通信端末を説明するブロック図である。
【図４】本発明に係る通信端末の動作方法を説明するフローチャートである。
【図５】本発明に係る通信端末の一例である携帯電話機を説明するブロック図である。
【図６】本発明に係る通信端末の一例である携帯電話機の動作方法を説明するフローチャートである。
【図７】本発明に係る通信端末の一例である携帯電話機のＬＣＤに表示される各機能動作の算出時間の例である。
【発明を実施するための形態】
【００１４】
添付の図面を参照して本発明の実施形態を説明する。以下に説明する実施形態は本発明の実施例であり、本発明は、以下の実施形態に制限されるものではない。なお、本明細書及び図面において符号が同じ構成要素は、相互に同一のものを示すものとする。
【００１５】
（実施形態１）
図１は、本実施形態の通信端末を説明するブロック図である。図１の通信端末は、省電力モードに設定可能な複数の機能を実行する機能実行手段１１と、機能実行手段１１が実行している前記機能を任意期間監視し、前記機能毎の動作時間を計測する時間計測手段１２と、時間計測手段１２が計測した前記機能毎の動作時間の累計を表示する表示手段１３と、を備える。
【００１６】
図２は、図１の通信端末の動作方法を説明するフローチャートである。図１の通信端末の動作方法は、省電力モードに設定可能な複数の機能を実行する機能実行手順Ｓ０１と、機能実行手順Ｓ０１で実行している前記機能を任意期間監視し、前記機能毎の動作時間を計測する時間計測手順Ｓ０２と、時間計測手順Ｓ０２で計測した前記機能毎の動作時間の累計を表示する表示手順Ｓ０３と、を行う。
【００１７】
図１の通信端末は、次の動作プログラムを実行することで図２の動作方法を行うことができる。本動作プログラムは、機能実行手段１１に省電力モードに設定可能な複数の機能を実行させる機能実行手順Ｓ０１と、時間計測手段１２に機能実行手段１１が実行している前記機能を任意期間監視させ、前記機能毎の動作時間を計測させる時間計測手順Ｓ０２と、表示手段１３に時間計測手段１２が計測した前記機能毎の動作時間の累計を表示させる表示手順Ｓ０３と、を通信端末に実行させる。
【００１８】
機能実行手段１１は、機能実行手順Ｓ０１で省電力モードに設定可能な機能を実行する。省電力モードに設定可能な機能は、例えば、携帯電話機の場合、着信音量、バイブレータ動作、通話中イルミネーション、照明設定、及びキーボタン確認音等である。
【００１９】
時間計測手段１２は、時間計測手順Ｓ０２で任意期間Ｎの間に通信端末において各機能が動作している時間を計測する。表示手段１３は、任意期間Ｎ経過後に、表示手順Ｓ０３で各機能の動作時間の累計をユーザに知らせる。ユーザは、表示手段１３の表示を見ることで、どの機能を省電力モードに設定すれば通信端末の使用時間を延ばすことが可能となるかを容易に知ることができる。従って、ユーザが自身の通信端末の利用状況に応じて利用頻度の少ない機能を省電力モードに設定することで、通信端末の使用時間を延ばすことが可能となる。
【００２０】
（実施形態２）
図３の通信端末は、図１の通信端末に記憶手段１４、モード設定手段１５及び期間設定手段１６をさらに備えたものである。記憶手段１４は、機能実行手段１１が実行する前記機能及び時間計測手段１２が監視する任意期間を記憶する。モード設定手段１５は、前記機能をそれぞれ省電力モードに設定する。期間設定手段１６は、前記任意期間を設定する。
【００２１】
図４は、図２の通信端末の動作方法に記憶手順Ｓ０４、モード設定手順Ｓ０５及び期間設定手順Ｓ０６をさらに加えたものである。記憶手順Ｓ０４では、機能実行手順Ｓ０１で実行する前記機能及び前記時間計測手順Ｓ０２で監視する任意期間を記憶する。モード設定手順Ｓ０５では、前記機能をそれぞれ省電力モードに設定する。期間設定手順Ｓ０６では、前記任意期間を設定する。
【００２２】
図３の通信端末は、次の動作プログラムを実行することで図４の動作方法を行うことができる。本動作プログラムは、動作プログラムに次の動作を図１の通信端末にさらに実行させる。本動作プログラムは、機能実行手段１１が機能実行手順Ｓ０１で実行する前記機能及び時間計測手段１２が時間計測手順Ｓ０２で監視する任意期間を記憶手段１４に記憶させる記憶手順Ｓ０４をさらに通信端末に実行させる。本動作プログラムは、モード設定手段１５に前記機能をそれぞれ省電力モードに設定するモード設定手順Ｓ０５をさらに通信端末に実行させる。本動作プログラムは、期間設定手段１６に前記任意期間を設定する期間設定手順Ｓ０６をさらに通信端末に実行させる。
【００２３】
ユーザは、始めにキーボタンなどの期間設定手段１６を利用して期間設定手順Ｓ０６で任意期間Ｎを設定する。例えば、ユーザは、任意期間Ｎを１２時間、２４時間又は１週間に設定することができる。記憶手段１４は、記憶手順Ｓ０４で任意期間Ｎを記憶する。
【００２４】
さらに、ユーザは、キーボタンなどのモード設定手段１５を利用してモード設定手順Ｓ０５で表示手段１３が表示した機能を省電力モードに設定する。記憶手段１４は、記憶手順Ｓ０４で省電力モードとされた機能を記憶する。
【００２５】
通信端末は、記憶手段１４に省電力モードに設定可能な機能を予め記憶しており、且つ、時間計測手段１２で任意期間Ｎの間に前記機能がどれだけ使用されているかを自動で算出し、表示手段１３で任意期間Ｎ経過後に自動で結果を表示する。ユーザは、表示手段１３が表示する結果を見て、どの機能を省電力モードに設定すれば、通信端末の使用時間を延ばすことができるかを容易に判断できる。
【００２６】
通信端末は、記憶手段１４に省電力モードの機能が記憶された場合、通常時に該機能を省電力モードにする。そして、例えば、ユーザがキーボタンなどからの操作で該機能を使用するときのみ、通信端末は該機能の省電力モードを解除する。このように、ユーザが自身の通信端末の利用状況に応じて利用頻度の少ない機能を省電力モードに設定することで、通信端末の使用時間を延ばすことが可能となる。なお、本実施形態では、ユーザが利用頻度の少ない機能を省電力モードに設定することとしたが、通信端末が時間計測手段１２の結果を判断し、自動的に利用頻度の少ない機能を省電力モードに設定することとしてもよい。
【００２７】
（実施形態３）
図５は、本実施形態の通信端末の一例である携帯電話機１００を示すブロック図である。携帯電話機１００は、無線ブロック１１０、ベースバンドブロック１１１、動作時間算出部１１２及び電池１１３を有する。
【００２８】
無線ブロック１１０は、衆網基地局や家庭用親機からの無線信号を復調する。無線ブロック１１０は、音声信号や制御信号を出力信号としてベースバンドブロック１１１に入力する。このうち、音声信号は、音声処理されて音声として出力される。制御信号は、ベースバンドブロック１１１内の処理に用いられる。
【００２９】
ベースバンドブロック１１１は、受信待受け及び送信等の通信を行う無線ブロック１１０を制御するとともに、携帯電話機１００の全体を制御する。ベースバンドブロック１１１は、図１及び３の機能実行手段１１に相当する。ベースバンドブロック１１１は、ＬＣＤ（液晶ディスプレイ）１２０、カメラ１２１、記憶部１２２及びキーボタン１２３を持つ。
【００３０】
ＬＣＤ１２０は、メールの文字表示やカメラ画像などを表示できる。ＬＣＤ１２０は、図１及び３の表示手段１３に相当する。
【００３１】
記憶部１２２は、任意期間Ｎ、省電力モードが設定可能な機能Ａ、Ｂ、Ｃ、音楽データ、ＴＶ放送データ、及び、カメラ１２１から取り込んだ画像データを格納することができる。また、記憶部１２２は、それらのデータを外部機器を介して携帯電話機１００の外部へ出力することが可能である。記憶部１２２は図１及び３の記憶手段１４に相当する。
【００３２】
キーボタン１２３は、数字入力キー（０〜９）を含む。キーボタン１２３は、図１及び３のモード設定手段１５及び期間設定手段１６に相当する。
【００３３】
ベースバンドブロック１１１は、ＬＣＤ１２０、数字入力キーを含むキーボタン１２３、記憶部１２２を用い、スケジュール管理機能、電卓機能、アラーム（目覚まし）機能、ＴＶ放送表示機能を動作させることができる。さらに、ベースバンドブロック１１１は、カメラ１２１を動作させて静止画や動画の撮影等のアプリケーション機能を動作させることが可能である。本実施例では、これらの機能を機能Ａ，機能Ｂ，機能Ｃとして表している。例えば、ベースバンドブロック１１１は、ユーザのキーボタン１２３操作による要求で記憶部１２２が記憶する機能Ａ、Ｂ、Ｃを呼び出すことができる。
【００３４】
電池１１３は携帯電話機１００に電源を供給する充電可能な２次電池である。
【００３５】
動作時間算出部１１２は、任意期間Ｎの間、省電力モードが設定可能な機能Ａ、Ｂ、Ｃが動作しているか否かを監視し、動作した場合に動作時間をカウントする。動作時間算出部１１２は、図１及び３の時間計測手段１２に相当する。具体的には、動作時間算出部１１２は、ユーザが各機能の動作時間の測定を開始したか否かを検出する。そして、測定開始と判断した場合は、動作時間算出部１１２は、記憶部１２２から任意期間Ｎを呼び出す。動作時間算出部１１２は、任意期間Ｎの間、ベースバンドブロック１１１が機能Ａ、Ｂ、Ｃを動作するごとに、それぞれの機能が動作する時間をカウントする。動作時間算出部１１２は、任意期間Ｎが経過したと判断したとき、動作時間算出部１１２が算出した機能Ａ、Ｂ、Ｃの動作時間をＬＣＤ１２０に表示する。
【００３６】
次に、携帯電話機１００の動作方法について説明する。図６は、携帯電話機１００の動作方法説明するフローチャートである。
【００３７】
図６の待受状態（ステップＳ１１）において、動作時間算出部１１２は、機能動作時間の計測開始か否かを監視する（ステップＳ１２）。動作時間算出部１１２が計測開始と判断した場合は、動作時間算出部１１２は、記憶部１２２に記憶されている任意の期間Ｎを読み込み、同時にベースバンドブロック１１１は機能Ａ、Ｂ、Ｃを読み込む（ステップＳ１３）。動作時間算出部１１２は、ベースバンドブロック１１１が機能Ａ、Ｂ、Ｃを動作させることを監視する（ステップＳ１４）。動作時間算出部１１２は、ベースバンドブロック１１１が機能Ａを動作させたか否かの判断をする（ステップＳ１５）。ステップＳ１５の判断で機能Ａが動作したと判断した場合、動作時間算出部１１２は機能Ａの動作時間をカウントして記憶する（ステップＳ１６）。さらに動作時間算出部１１２は任意期間Ｎが経過したか否かの判断を実施する（ステップＳ１７）。ステップＳ１７の判断で、任意期間Ｎを経過していると判断した場合、動作時間算出部１１２は、機能Ａ、Ｂ、Ｃの動作時間を合計する（ステップＳ１８）。そして、ベースバンドブロック１１１は、各機能の動作時間をＬＣＤ１２０に表示する（ステップＳ１９）。
【００３８】
ステップＳ１２の判断で、動作時間算出部１１２が機能動作時間の計測開始ではないと判断した場合、動作時間算出部１１２は機能動作時間の計測開始まで再度ステップＳ１２を行う。
【００３９】
ステップＳ１５の判断で機能Ａが動作していないと判断した場合、動作時間算出部１１２は機能Ｂが動作したか否かの判断をする（ステップＳ２０）。ステップＳ２０の判断で機能Ｂが動作したと判断した場合、動作時間算出部１１２は機能Ｂの動作時間をカウントして記憶する（ステップＳ２３）。続いてステップＳ１７の処理へ移行する。
【００４０】
ステップＳ２０の判断で機能Ｂが動作していないと判断した場合、動作時間算出部１１２は機能Ｃが動作したか否かの判断をする（ステップＳ２１）。ステップＳ２１の判断で機能Ｃが動作したと判断した場合、動作時間算出部１１２は機能Ｃの動作時間をカウントして記憶する（ステップＳ２４）。続いてステップＳ１７の処理へ移行する。
【００４１】
ステップＳ２１の判断で機能Ｃが動作していないと判断した場合、動作時間算出部１１２は任意期間Ｎが経過したか否かの判断をする（ステップＳ２２）。ステップＳ２２の判断で任意期間Ｎが経過したと判断した場合、動作時間算出部１１２はステップＳ１８の処理へ移行する。
【００４２】
ステップＳ２２の判断で任意期間Ｎが経過していないと判断した場合、動作時間算出部１１２は、ステップＳ１４の処理へ移行する。また、ステップＳ１７の判断で任意期間Ｎが経過していないと判断した場合、動作時間算出部１１２は、ステップＳ１４の処理へ移行する。
【００４３】
図７は、ステップＳ１９でＬＣＤ１２０に表示される各機能動作の算出時間の例である。任意期間Ｎの間に機能Ａは２時間２５分動作し、機能Ｂは１時間１０分動作し、機能Ｃは５分動作したことがわかる。ユーザは、機能Ｃを省電力モードに設定することで、携帯電話機１００の電池１１３の消耗を抑えることができ、携帯電話機１００の使用時間を延ばすことができる。
【００４４】
以上説明したように、携帯電話機１００は、省電力モードに設定可能な機能がどれだけ動作しているかを自動で算出でき、その結果をユーザに知らせることが可能である。このため、ユーザはどの機能を省電力モードに設定を変更すれば、携帯電話機１００の消費電力を低減でき、使用時間を有効に延ばすことができるか容易に認識できる。
【００４５】
また、携帯電話機１００は、使用時間を延ばすことが可能となるため、電池１１３を充電する回数及び時間を削減できるため、ユーザの自宅などの電気代も節約することができる。
【符号の説明】
【００４６】
１１：機能実行手段
１２：時間計測手段
１３：表示手段
１４：記憶手段
１５：モード設定手段
１６：期間設定手段
１００：携帯電話機
１１０：無線ブロック
１１１：ベースバンドブロック
１１２：動作時間算出部
１１３：電池
１２０：ＬＣＤ
１２１：カメラ
１２２：記憶部
１２３：キーボタン
【図１】
2011066700.tif 000003
【図２】
2011066700.tif 000004
【図３】
2011066700.tif 000005
【図４】
2011066700.tif 000006
【図５】
2011066700.tif 000007
【図６】
2011066700.tif 000008
【図７】
2011066700.tif 000009